(57)【要約】【課題】  陳列棚の中などで照明との位置関係により見易さが損なわれず、表示内容の交換が迅速にできる、商品種別や価格の表示装置の実現。【解決手段】  面方向の一端にＬＥＤ光源部１４を配置した透明板１３を、レール材１１の溝に挿入して固定する。溝の内側とＬＥＤ光源部の外側にそれぞれ設けた帯状導電体１２，１５を介して電力を供給し、ＬＥＤ光源部１４を発光させ、透明板１３の面に設けた表示体１６を照らす。【選択図】図１
0003140701.tif 000002
【実用新案登録請求の範囲】
【請求項１】
表示体と、それを支持する固定手段を有する表示装置において、
表示装置が発光表示部と、それを着脱自在に固定するための固定部材とから成り、
前記固定部材は、軸に垂直な断面がＵ字状、コ字状、Ｈ字状、または倒立ｈ字状のレール材と、その溝部の内側の二面に互いに対向して設けた、導電性物質から成る帯状電極端子の第一の対とから成り、
前記帯状電極端子は互いに絶縁され、かつ所要の電源に接続され、
前記発光表示部は、空気より大きい屈折率をもつ透明な物質から成る平板と、その厚さと同じ幅をもつ棒状の光源部とから成り、
この光源部は少なくとも２の発光ダイオードを有し、
前記平板の表面、内部、またはその両者に、前記光源部により照明される所要の表示体を有し、
前記平板の長さ方向の一端面は平面であり、前記光源部はこの平面に接して、幅方向が前記平板の厚さ方向に一致するように、前記平板に一体に固定され、
前記平板の前記一端付近の対向する二面もしくは前記光源部の幅方向で対向する二面、またはその両者に、密接して固定された、導電性物質から成る帯状電極端子の第二の対を設け、
この第二の対は前記光源部に接続され、かつ前記第一の対の間に、それらに密着して挿入することができ、
前記発光表示部の前記一端付近を前記固定部材の前記溝部に挿入することにより、前記発光表示部が前記固定部材に固定されるとともに、前記第一の対と前記第二の対が密接して、前記電源に接続された前記第一の対から前記第二の対を介して前記光源部に発光のための電力が供給されるように構成されたことを特徴とする、表示装置。
【請求項２】
前記透明な物質が１．３以上の屈折率を有する、請求項１の表示装置。
【請求項３】
前記固定部材に複数の前記発光表示部が固定される、請求項１の表示装置。
【請求項４】
前記レール材が絶縁体から成る、請求項１または３の表示装置。
【請求項４】
前記レール材が導電性物質から成り、
前記第一の対の少なくとも一方の帯状電極端子が前記レール材に対し絶縁されている、請求項１または３の表示装置。
【請求項５】
前記平板が長方形または正方形の板状である、請求項１の表示装置。
【請求項６】
前記光源部が前記平板の一端の前記平面と接する面に主発光面を有する、請求項１の表示装置。
【請求項７】
前記光源部が少なくとも３の発光ダイオードを有する、請求項６の表示装置。
【請求項８】
前記発光ダイオードがそれぞれ、青発光ダイオード、緑発光ダイオード、赤発光ダイオードである、請求項７の表示装置。
【請求項９】
前記表示体が商品の種類または価格を表示する、請求項１または３の表示装置。
【考案の詳細な説明】
【考案の詳細な説明】
【技術分野】
【０００１】  本考案は表示装置に関するもので、特に、光源部からの照明により表示が明瞭に認識でき、かつ表示の内容を必要に応じて容易に交換することができる表示装置に関する。
【背景技術】
【０００２】  従来、商品の陳列ケースで商品の種類やそれぞれの価格を表示するには、自己保持性のラベル（ｌａｂｅｌ）が主に用いられている。そして表示の内容を必要に応じて交換できるように、ラベルを着脱できる構造（例えばスライドインなど）のラベル保持ケースを各商品の前などに置き、商品の種類や価格を記したラベルをそれに挿入あるいは係合して、商品の種類や価格を表示していた。【０００３】  売り場の商品や、給仕可能の料理のメニュー等を店頭に表示するため、発光ダイオードで透明平板をその縁から照明して、平板の表面に蛍光ペン等で記した表示を見せる表示装置、すなわち発光表示装置が、最近普及しはじめた。【０００４】  図１１（ａ）及び同（ｂ）は、陳列ケース内における従来の品名・価格ラベルの設置状況を示す。図１１（ａ）は陳列ケースの断面を示し、商品陳列ケース７０は、本体７１、その中に複数段設けられた陳列棚７２、その上に載せられた商品７３、陳列棚７２の前縁７２ａに取り付けられたラベル保持台７４、ラベル７５、照明装置７６から成る。【０００５】  図１１（ｂ）はラベル保持台７４の、線分Ｘ−Ｘに沿った断面説明図である。ラベル７５は、ラベル保持台７４の上下にある溝７４ａおよび７４ｂに挿入される。ラベル７５は、交換の必要が生じたとき溝７４ａおよび７４ｂから抜き出して交換することができる。【０００６】  図１２は、従来の典型的な発光表示装置を示す。発光表示装置８０は、長方形または正方形の透明板８１、表示体８２、ＬＥＤ光源８３、配線８４、電源８５、額縁８６から成る。透明板８１の上に表示体８２が蛍光ペン等で記され、透明板８１の周囲にＬＥＤ光源８３が設けられている。ＬＥＤ光源８３は、配線８４により電源８５に接続され、また、正面からは見えないように額縁８５により覆われている。発光表示装置８０は営業内容の広告等のために飲食店等の店頭に置いて用いられる。
【考案が解決しようとする課題】
【０００７】  図１１に示した陳列ケースでは、しかし、照明装置７６とラベル７５との位置関係によって、ラベル（表示手段）の面が暗くなる、あるいは反対に光の反射のために、ラベル面の表示が陳列ケースの正面の買物客から見えにくいことが往々にして起きる。
【０００８】  一方、図１２の従来の発光表示装置では、表示内容を変更するとき、表示体８２の上に記載された表示を消して書き直す必要があり、それには時間がかかる。書き直している間、表示装置はしばらく使用できない。
【０００９】  本考案の目的は、ラベル等の表示手段と照明との位置関係などに影響されることなく、表示の見易さを確保することができる表示装置を、実現することにある。
【００１０】  本考案の他の目的は、必要に応じて短時間かつ容易に表示内容を変更できる表示装置を、実現することにある。
【００１１】  本考案の目的は、さらに、これらの目的を同時に達成することにある。
【課題を解決するための手段】
【００１２】  本考案の表示装置は、上記目的を達成するため、表示体と、それを支持する固定手段を有する表示装置において、表示装置が発光表示部と、それを着脱自在に固定するための固定部材とから成り、固定部材は、軸に垂直な断面がＵ字状、コ字状、Ｈ字状、または倒立ｈ字状のレール材と、その溝部の内側の二面に互いに対向して設けた、導電性物質から成る帯状電極端子の第一の対とから成り、帯状電極端子は互いに絶縁され、かつ所要の電源に接続され、発光表示部は、空気より大きい屈折率をもつ透明な物質から成る平板と、その厚さと同じ幅をもつ棒状の光源部とから成り、この光源部は少なくとも２の発光ダイオードを有し、平板の表面、内部、またはその両者に、光源部により照明される所要の表示体を有し、平板の長さ方向の一端面は平面であり、光源部はこの平面に接して、幅方向が平板の厚さ方向に一致するように、平板に一体に固定され、平板の一端（平面である）付近の対向する二面もしくは光源部の幅方向で対向する二面、またはその両者に密接して、導電性物質から成る帯状電極端子の第二の対を設け、この第二の対は光源部に接続され、かつ第一の対の間に、それらに密着して挿入することができ、発光表示部の（平板の）一端付近を固定部材の溝部に挿入することにより、発光表示部が固定部材に固定されるとともに、第一の対と第二の対（帯状電極端子の）が密接して、電源に接続された第一の対から第二の対を介して光源部に発光のための電力が供給されるように構成されたことを、特徴とする。
【００１３】  発光表示部の平板を構成する透明な物質は、１．３以上の屈折率を有することが好ましく、特に１．４を超える屈折率を有することが有利である。具体的には、アクリル樹脂（ポリアルキルアクリレート、ポリアルキルメタアクリレート等）が、屈折率、透明度ともにすぐれ、有利である。ポリカーボネート、ポリ塩化ビニル等を用いることもできる。以上の例はいずれもその共重合体を包含する。
【００１４】  固定部材に複数の発光表示部が固定されるようにしてもよく、陳列棚などで多種の商品について表示できるから、実用上有利である。
【００１５】  固定部材のレール材は、絶縁体から成ってもよく、導電性物質から成ってもよい。後者の場合には、第一の対の少なくとも一方の帯状電極端子がレール材に対し絶縁されている必要がある。第一の対の両方の帯状電極端子がレール材に対し絶縁されていることが好ましい。
【００１６】  発光表示部の平板は、長方形または正方形の板状とすると、取扱いやすい。周の一部が直線状である円板などでもよい。平板の広い１面に、断面がＶ字状の溝を設けると、表面または内部の表示が、より鮮やかに見える。平板の一端は平面とし、光源部をこの平面に接して、その幅方向が平板の厚さ方向に一致するように（幅方向の両端が平板の表面の延長上にあるように）、平板に一体に固定する。光源部は、その主発光面が平板の一端の平面と接するような向きに配置する。
【００１７】  平板の全体を均等に照明するために、光源部には少なくとも３個の発光ダイオードを有することが好ましい。これらの発光ダイオードがそれぞれ、青発光ダイオード、緑発光ダイオード、赤発光ダイオードであると、表示の色がより鮮やかに見え、有利である。光源部の発光ダイオードの数は、もちろん４個以上であってもよい。
【００１８】  表示体には、例えば、商品の種類や、それらの価格が表示される。
【００１９】  レール材の材質としては、プラスチック、厚紙成形品  金属等を用いることができる。金属では、アルミニウムなどの軽い金属が好適である。
【００２０】  レール材は、その軸に垂直な断面がＵ字状、コ字状、Ｈ字状、倒立ｈ字状等のもの、つまり長く延びた溝部を有するものであればよく、発光表示部を溝部の内側に挿入して固定する機能を有する形状であれば、これらに特に限定されない。
【００２１】  レール材の溝部の内側の二面には、導電性物質から成る帯状電極端子の第一の対（「第一の対」とする）を、互いに対向して設ける。帯状電極端子は、短絡を防ぐため、互いに絶縁されている必要がある。レール材が電導性である場合には、各電極端子のレール材に接する面に絶縁層を設けることが好ましい。帯状電極端子の一方のみに絶縁層を設けてもよいが、この場合、レール材自体が配線の一部を形成することになる。
【００２２】  平面である一端の付近において、平板の対向する二面、または平板の端に固定された光源部の幅方向の両側面（平板の広い２面の延長上に位置する）に、密接して、帯状電極端子の第二の対を設ける。平板の面と光源部の側面の両者にわたって、この対を設けてもよい。この第二の対は光源部に接続され、光源部の発光に必要な電力を供給する機能をもつ。
【００２３】  発光表示部側の帯状電極端子の第二の対は、固定部材側の第一の対の間に、それらに密着して挿入することができるように構成される。従って、発光表示部の一端（平板の一端が平面）付近を固定部材の溝部に挿入すると、発光表示部が固定部材に固定されるとともに、帯状電極端子の第一の対と第二の対が密接して、第一の対から第二の対を介して光源部に発光のための電力が供給される。この電力は、帯状電極端子の第一の対に接続された所要の電源から供給される。
【考案の効果】
【００２４】  本考案の表示装置は、表示部がそれ自体に光源を有し、表示体が照明されるから、ラベル等の表示手段と照明との位置関係などに影響されることなく、表示の見易さを確保することができる。照明光源が別に設けられた従来の表示装置は、陳列棚などの中に設置されたとき、表示の見易さが表示手段と照明との位置関係などに大きく影響される。
【００２５】  しかも本考案の表示装置では、発光表示部の端部を固定部材の溝部に挿入することにより、発光表示部を固定部材に固定することができるから、表示内容の変更が必要になったとき、発光表示部の交換により表示内容の変更を速やかに行うことができる。
【００２６】  従来の、照明光源を内蔵する表示装置では、表示内容の変更の際に表示の記載を書き換える必要があり、その間使用を中断せねばならず、広告等の効果が減殺される欠点があった。これに対し本考案の表示装置は、表示内容の変更の際に表示の記載を書き換える必要がないから、表示内容の変更に伴う使用の中断時間は極めて僅かですむ。
【考案を実施するための最良の形態】
【００２７】（第一の実施の形態）
図１、図２および図３は、本考案の第一の実施の形態である表示装置を示す。図１は表示装置の正面図、図２は平面図、図３は図１中の線分Ｖ−Ｖに沿った断面説明図である。表示装置１０は、電気絶縁性のレール材１１、その溝部の内側に設けた１対の導体電極１２（符号は共通）、透明な平板１３、その下端に一体に固定された光源部１４、その両側面に設けた一対の導体電極１５（符号は共通）、平板１３の表面に設けた文字等の表示体１６から成る。１対の導体電極１２はそれぞれ配線１２ａにより図示しない電源に接続され、一方、導体電極１５は図示しない配線により光源部１４に接続されている。表示体１６は、図示の便宜上、平板１３の表面に埋め込みの形で示したが、表面上に突出していてもよい。【００２８】  平板１３、表示体１６、光源部１４、導体電極１５で発光表示部Ｄを、レール材１１と導体電極１２で固定部材Ｓを、それぞれ構成している。発光表示部の下部の光源部１４をレール材１１の溝１１ａに挿入すると、光源部１４の下端がレール材１１の底面内側に、導体電極１５がレール材１１の溝部内側の導体電極１２に、それぞれ密着し、発光表示部Ｄは固定部材Ｓに保持される。【００２９】  この状態で発光表示部Ｄ側の導体電極１５は、固定部材Ｓ側の導体電極１２に密着しているから、図示しない電源に接続された配線１２ａを経て導体電極１２に供給された電力は、さらに導体電極１５を介して光源部１４に供給されて、光源部１４が発光する。【００３０】  光源部１４からの光は透明な平板１３の内部を、主として全反射により伝わり、その表面の表示体１６を照らすから、表示は大変見やすい。【００３１】  図４と図５は、表示を変更するために、発光表示部Ｄを固定部材Ｓから取り外した状態での、それぞれを示す正面図である。固定部材Ｓから取り外した状態では、発光表示部Ｄの下部が露出され、導体電極１５と光源部１４が見える。【００３２】  図６および図７は、発光表示部Ｄを固定部材Ｓから取り外した状態での、それぞれの断面説明図で、図３に対応する断面を示す。【００３３】（第二の実施の形態）
図８および図９は、本考案の第二の実施の形態である表示装置を示す。図８は平面図、図９は図８中の線分Ｕ−Ｕに沿った断面説明図である。表示装置２０は、アルミニウム製のレール材２１、その溝部の内側に設けた１対の絶縁層２２ａおよび導体電極２２（符号は共通）、透明な平板１３、その下端に一体に固定された光源部１４、その両側面に設けた一対の導体電極１５（符号は共通）、平板１３の表面に設けた文字等の表示体１６から成る。【００３４】  電気絶縁性のレール材１１に代えてアルミニウム製のレール材２１を、導体電極１２に代えてレール材２１との間に絶縁層２２ａを有する導体電極２２を、それぞれ用いたこと以外、表示装置２０は図１ないし図３に示した表示装置と同様である。それ故、同様の部分については説明を省略する。【００３５】  導体電極２２は、レール材２１との間に絶縁層２２ａが介在するから、レール材２１から絶縁され、また１対の導体電極２２の間も絶縁されている。表示装置２０において固定部材Ｓは、レール材２１、絶縁層２２ａ、導体電極２２で構成される。【００３６】  発光表示部の下部の光源部１４をレール材２１の溝２１ａに挿入すると、光源部１４の下端がレール材１１の底面内側に、導体電極１５がレール材２１の溝部内側の導体電極２２に、それぞれ密着し、発光表示部Ｄは固定部材に保持される。【００３７】  この状態で発光表示部Ｄ側の導体電極１５は導体電極２２に密着しているから、図示しない電源から導体電極２２に供給された電力は、さらに導体電極１５を介して光源部１４に供給されて、光源部１４が発光する。表示体１６の照明に関しては第一の実施の形態と同じである。【００３８】  図１０は表示装置２０の、発光表示部Ｄを固定部材Ｓから取り外した状態での固定部材Ｓの断面説明図で、図９に対応する断面を示す。【００３９】  第一および第二の実施形態において、平板１３は例えばアクリル樹脂で構成される。
【図面の簡単な説明】
【図１】  本考案の第一の実施の形態である表示装置の正面図。
【図２】  本考案の第一の実施の形態である表示装置の平面図。
【図３】  本考案の第一の実施の形態である表示装置の断面説明図。
【図４】  本考案の第一の実施の形態である表示装置の、発光表示部Ｄを固定部材Ｓから取り外した状態での発光表示部Ｄの正面図。
【図５】  本考案の第一の実施の形態である表示装置の、発光表示部Ｄを固定部材Ｓから取り外した状態での固定部材Ｓの正面図。
【図６】  本考案の第一の実施の形態である表示装置の、発光表示部Ｄを固定部材Ｓから取り外した状態での発光表示部Ｄの断面説明図。
【図７】  本考案の第一の実施の形態である表示装置の、発光表示部Ｄを固定部材Ｓから取り外した状態での固定部材Ｓの断面説明図。
【図８】  本考案の第二の実施の形態である表示装置の平面図。
【図９】  本考案の第二の実施の形態である表示装置の断面説明図。
【図１０】  本考案の第二の実施の形態である表示装置の、発光表示部Ｄを固定部材Ｓから取り外した状態での固定部材Ｓの断面説明図。
【図１１】  陳列ケース内における従来の品名・価格ラベルの設置状況を示す説明図。（ａ）は陳列ケースの断面説明図、（ｂ）はラベル保持台の断面説明図。
【図１２】  従来の典型的な発光表示装置の説明図。
【符号の説明】
１０  表示装置
１１  レール材
１１ａ  溝
１２  導体電極
１２ａ  配線
１３  平板
１４  光源部
１５  導体電極
１６  表示体
２０  表示装置
２１  レール材
２１ａ  溝
２２  導体電極
２２ａ  絶縁層
Ｄ  発光表示部
Ｓ  固定部材
【図１】
0003140701.tif 000003
【図２】
0003140701.tif 000004
【図３】
0003140701.tif 000005
【図５】
0003140701.tif 000006
【図６】
0003140701.tif 000007
【図７】
0003140701.tif 000008
【図４】
0003140701.tif 000009
【図８】
0003140701.tif 000010
【図９】
0003140701.tif 000011
【図１０】
0003140701.tif 000012
【図１１】
0003140701.tif 000013
【図１２】
0003140701.tif 000014
【手続補正書】
【提出日】平成20年1月4日(2008.1.4)
【手続補正１】
【補正対象書類名】実用新案登録請求の範囲
【補正対象項目名】全文
【補正方法】変更
【補正の内容】
【実用新案登録請求の範囲】
【請求項１】
表示体と、それを支持する固定手段を有する表示装置において、
表示装置が発光表示部と、それを着脱自在に固定するための固定部材とから成り、
前記固定部材は、軸に垂直な断面がＵ字状、コ字状、Ｈ字状、または倒立ｈ字状のレール材と、その溝部の内側の二面に互いに対向して設けた、導電性物質から成る帯状電極端子の第一の対とから成り、
前記帯状電極端子は互いに絶縁され、かつ所要の電源に接続され、
前記発光表示部は、空気より大きい屈折率をもつ透明な物質から成る平板と、その厚さと同じ幅をもつ棒状の光源部とから成り、
この光源部は少なくとも２の発光ダイオードを有し、
前記平板の表面、内部、またはその両者に、前記光源部により照明される所要の表示体を有し、
前記平板の長さ方向の一端面は平面であり、前記光源部はこの平面に接して、幅方向が前記平板の厚さ方向に一致するように、前記平板に一体に固定され、
前記平板の前記一端付近の対向する二面もしくは前記光源部の幅方向で対向する二面、またはその両者に、密接して固定された、導電性物質から成る帯状電極端子の第二の対を設け、
この第二の対は前記光源部に接続され、かつ前記第一の対の間に、それらに密着して挿入することができ、
前記発光表示部の前記一端付近を前記固定部材の前記溝部に挿入することにより、前記発光表示部が前記固定部材に固定されるとともに、前記第一の対と前記第二の対が密接して、前記電源に接続された前記第一の対から前記第二の対を介して前記光源部に発光のための電力が供給されるように構成されたことを特徴とする、表示装置。
【請求項２】
前記透明な物質が１．３以上の屈折率を有する、請求項１の表示装置。
【請求項３】
前記固定部材に複数の前記発光表示部が固定される、請求項１の表示装置。
【請求項４】
前記レール材が絶縁体から成る、請求項１または３の表示装置。
【請求項５】
前記レール材が導電性物質から成り、
前記第一の対の少なくとも一方の帯状電極端子が前記レール材に対し絶縁されている、請求項１または３の表示装置。
【請求項６】
前記平板が長方形または正方形の板状である、請求項１の表示装置。
【請求項７】
前記光源部が前記平板の一端の前記平面と接する面に主発光面を有する、請求項１の表示装置。
【請求項８】
前記光源部が少なくとも３の発光ダイオードを有する、請求項７の表示装置。
【請求項９】
前記発光ダイオードがそれぞれ、青発光ダイオード、緑発光ダイオード、赤発光ダイオードである、請求項８の表示装置。
【請求項１０】
前記表示体が商品の種類または価格を表示する、請求項１または３の表示装置。